(57)【要約】【課題】  利便性をより向上させることができる釣竿および釣竿支持台、並びにそれらに用いる電池パックおよび電池を提供する。【解決手段】  元竿部分１１の内部には空洞が設けられており、電動リール２の電源として用いられる二次電池３と、二次電池３における過充電および過放電を防止する保護回路４とが内蔵されている。二次電池３にはリチウムイオン二次電池などを用いることが好ましい。また、釣竿支持台に電源部を設け、二次電池を内蔵するようにしてもよい。【選択図】        図２
2005312369.tif 000002
【特許請求の範囲】
【請求項１】
釣竿本体と、
この釣竿本体に装着される電動リールと、
前記釣竿本体の内部に内蔵されて前記電動リールの電源となる二次電池と、
前記二次電池における過充電または過放電のうち少なくともいずれかを防止する機能を有し、前記釣竿本体の内部に内蔵された保護回路と
を備えたことを特徴とする釣竿。
【請求項２】
前記二次電池は、リチウムを電極反応に利用するものである
ことを特徴とする請求項１記載の釣竿。
【請求項３】
前記二次電池は、フィルム状の外装材に収納された
ことを特徴とする請求項１記載の釣竿。
【請求項４】
前記二次電池と前記保護回路とを一体化して電池パックとし、この電池パックを前記釣竿本体に対して着脱可能とした
ことを特徴とする請求項１記載の釣竿。
【請求項５】
前記保護回路を、前記釣竿本体の長手方向と直交する断面形状に対応した平面形状の配線基板上に設け、前記配線基板を前記釣竿本体の長手方向に対して略直交する姿勢で前記釣竿本体の内部に内蔵した
ことを特徴とする請求項１記載の釣竿。
【請求項６】
複数本の二次電池を、所定の本数ごとに直列に接続し、かつその直列に接続したものを並列に接続した
ことを特徴とする請求項１記載の釣竿。
【請求項７】
釣竿本体の内部に収納される電池パックであって、
二次電池と、
この二次電池における過充電または過放電のうち少なくともいずれかを防止する保護回路と
を備えたことを特徴とする電池パック。
【請求項８】
前記二次電池は、リチウムを電極反応に利用するものである
ことを特徴とする請求項７記載の電池パック。
【請求項９】
前記二次電池は、フィルム状の外装材に収納された
ことを特徴とする請求項７記載の電池パック。
【請求項１０】
釣竿を支持する支持部材と、
この支持部材に設けられ、電池が配設可能とされており、釣竿に対して電気的に接続される電源部と
を備えたことを特徴とする釣竿支持台。
【請求項１１】
前記電源部は、前記電池における過充電または過放電のうち少なくともいずれかを防止する保護回路を備えた
ことを特徴とする請求項１０記載の釣竿支持台。
【請求項１２】
前記電源部に、リチウムを電極反応に利用する電池を配設する
ことを特徴とする請求項１０記載の釣竿支持台。
【請求項１３】
前記電源部に、フィルム状の外装材に収納された電池を配設する
ことを特徴とする請求項１０記載の釣竿支持台。
【請求項１４】
釣竿を支持する釣竿支持台に配設して用いられることを特徴とする電池。
【請求項１５】
二次電池と、この二次電池における過充電または過放電のうち少なくともいずれかを防止する保護回路とを備え、
釣竿を支持する釣竿支持台に配設して用いられる
ことを特徴とする電池パック。
【発明の詳細な説明】
【技術分野】
【０００１】
本発明は、船釣りや磯釣りなどに好適な電動リールを備えた釣竿、およびそれに用いる釣竿支持台、並びにそれらに用いる電池パックおよび電池に関する。
【背景技術】
【０００２】
近年、特に船釣りや磯釣りでは電動リールを使用する釣り人が増えている。また、川や湖などの淡水における釣りでも、例えばルアーを用いた渓流釣りなどで電動リールが使用される機会が増えてきている。
【０００３】
例えば船釣りの場合、小型船舶を利用することが多いが、船上では一人当たりのスペースが極めて狭いことが多い。あるいは磯釣りでも、岩礁など足場が悪くて余分なスペースがほとんど無い場所で釣りを行わなければならない場合が多い。また、長いハリスや多数の疑似餌付サビキハリス等をはじめとして種々の索糸や道具類が必要である。このため、釣り人の足元やその身辺は煩雑となりやすく、本来の釣りの楽しみを阻害する要因となる。
【０００４】
しかも、電動リールには電源が必要であるから、船上に装備された電源装置や蓄電池等から電動リールへと電力を供給する接続コード類が必要となる。あるいは、釣竿とは別に携帯型の電池パック等を持ち歩かなければならない。
【０００５】
このため、接続コード類の取り扱いの煩雑さや電池パックを持ち歩くことの煩雑さ、およびそれらに起因した機動性の悪さが、本来の釣りの楽しみをさらに阻害することとなる。このような不都合を克服することを企図して、電池を釣竿に併設するという技術が提案されている（特許文献１）。この技術によれば、電池は常に釣竿と一体で持ち運ぶことができる。また、さらに、電池を釣竿の内部に仕込む（内蔵する）という技術が提案されている（特許文献２，特許文献３）。
【０００６】
これらの技術によれば、電池を常に釣竿と一体で持ち運ぶことができることは勿論のこと、その電池が釣竿の外部に突出しないので、釣竿全体の取り扱いやグリップをさらに簡便かつ確実なものとすることが可能となる。
【０００７】
【特許文献１】実用新案公開平６−５５３５６号公報
【特許文献２】実用新案公開昭６３−１２７３６１号公報
【特許文献３】実用新案公開平２−９０７４号公報
【発明の開示】
【発明が解決しようとする課題】
【０００８】
しかしながら、特許文献１の技術では、電池パックを釣竿の外側に装着しているので取り替えなどは容易であるが、その反面、電池パックの存在が邪魔になって、例えば元竿部分の取り扱いが悪くなってしまうという問題があった。
【０００９】
また、特許文献２または特許文献３に提案された技術では、円柱状の電池が元竿部分の内部に仕込まれているので、特許文献１の場合のような電池パックが邪魔になるという不都合は克服される。しかし、釣り用の電動リールの運転には意外に大きな電力が必要であるので、例えば一日中利用できるようにするためには、例えば単３型よりも単２型、単２型よりも単１型、というように、より大きな容量を有する電池を用いる必要がある。
【００１０】
ところが、元竿部分には、釣り人が手で握りやすいような直径であること、長過ぎないこと、余りにも重くないことが、釣竿本来の機能の点から第一義的に要請される。従って、大型の電池を数多く内部に入れることは難しく、途中で電池を交換したりする必要があり、煩雑であった。
【００１１】
本発明はかかる問題点に鑑みてなされたもので、その目的は、利便性をより向上させることができる釣竿および釣竿支持台、並びにそれらに用いる電池パックおよび電池を提供することにある。
【課題を解決するための手段】
【００１２】
本発明の釣竿は、釣竿本体と、この釣竿本体に装着される電動リールと、釣竿本体の内部に内蔵されて電動リールの電源となる二次電池と、二次電池における過充電または過放電のうち少なくともいずれかを防止する機能を有し、釣竿本体の内部に内蔵された保護回路とを備えた構成を有するものである。
【００１３】
本発明の第１の電池パックは、釣竿本体の内部に収納されるものであって、二次電池と、この二次電池における過充電または過放電のうち少なくともいずれかを防止する保護回路とを備えた構成を有するものである。
【００１４】
本発明の釣竿支持台は、釣竿を支持する支持部材と、この支持部材に設けられ、電池が配設可能とされており、釣竿に対して電気的に接続される電源部とを備えた構成を有するものである。
【００１５】
本発明の電池は、釣竿を支持する釣竿支持台に配設して用いられるものである。
【００１６】
本発明の第２の電池パックは、二次電池と、この二次電池における過充電または過放電のうち少なくともいずれかを防止する保護回路とを備え、釣竿を支持する釣竿支持台に配設して用いられるものである。
【００１７】
本発明の釣竿または第１の電池パックでは、二次電池が釣竿本体の空洞に内蔵されて、電動リールに駆動用電力を供給する電源として用いられる。二次電池には、過充電または過放電のうち少なくともいずれかを防止する機能を備えた保護回路が接続されて、過充電や過放電が防止される。この保護回路も釣竿本体の元竿部分に内蔵される。よって、二次電池を釣竿本体から取り出して充電したものと交換したり、また、内蔵した状態で充電したりと、状況に応じて使い分けることが可能となる。
【００１８】
本発明の釣竿支持台では、電動リールなどを備えた釣竿を用いる際に、電動リールに電池を接続してその電源とする。よって、釣竿を軽くすることができ、その取り扱い性が向上すると共に、電源のための特別な装備を用意する必要もない。
【発明の効果】
【００１９】
本発明の釣竿によれば、二次電池および保護回路を釣竿本体の内部に内蔵するようにしたので、または、本発明の第１の電池パックによれば、二次電池と保護回路とを備えるようにしたので、二次電池を釣竿本体から取り出して充電したものと交換するようにもできるが、取り出さずに内蔵した状態で充電するようにすることもできる。よって、状況に応じて種々の使い方をすることが可能となり、利便性を向上させることができる。
【００２０】
特に、リチウムを電極反応に利用する二次電池を用いるようにすれば、元竿部分の直径や長さなどの外形寸法を大型化することなく長時間の使用を可能とすることができ、更に利便性を向上させることができる。
【００２１】
また、フィルム状の外装材に収納された二次電池を用いるようにすれば、より軽量化を図ることができる。
【００２２】
更に、保護回路を釣竿本体の長手方向と直交する方向での断面形状に対応した外形を有する配線基板上に設け、その配線基板を釣竿本体の長手方向に対して略直交する姿勢で釣竿本体の元竿部分に内蔵するようにすれば、その元竿部分の外形寸法を大型化することなく二次電池と保護回路とを釣竿本体に内蔵させることができる。
【００２３】
更には、複数本の二次電池を、所定の本数ごとに直列に接続し、かつその直列に接続したもの同士を並列に接続するようにすれば、既存の規格に準拠した複数本の二次電池を用いて所定の放電電圧および所定の放電電流を得ることができる。
【００２４】
また、本発明の釣竿支持台によれば、電池を配設可能な電源部を設けるようにしたので、または、本発明の電池あるいは第２の電池パックによれば、釣竿支持台に配設して用いられるので、電動リールなどを備えた釣竿を用いる際に、電動リールに電池を接続してその電源とすることができる。よって、釣竿を軽くすることができ、その取り扱い性を向上させることができると共に、電源のための特別な装備を用意する必要がなく、電動リールとの電源ケーブルも短くすることができ、煩雑さを改善することができる。
【００２５】
特に、リチウムを電極反応に利用する二次電池を用いるようにすれば、釣竿支持台を大型化することなく長時間の使用を可能とすることができ、更に利便性を向上させることができる。
【発明を実施するための最良の形態】
【００２６】
以下、本発明の実施の形態について図面を参照して詳細に説明する。
【００２７】
（第１の実施の形態）
図１は、本発明の第１の実施の形態に係る釣竿の概要構成を表すものであり、図２は、図１に示したＡ−Ａ線に沿った断面構成を表している。図３は、図１に示した釣竿の回路構成を表すものである。
【００２８】
この釣竿は、図１に示したように、釣竿本体１と、その外部に付設された電動リール２とを備えている。釣竿本体１は、道糸１１と、それを取り付ける竿部分１２と、竿部分１２を支える元竿部分１３とを有している。道糸１１には、必要に応じて釣針１４と錘１５とが取り付けられており、道糸１１の一端部は電動リール２に巻かれている。
【００２９】
竿部分１２は、適度な撓りを有すると共に強大な曲げ応力や引っ張り応力等に対して十分な強度および耐久性を有する、例えばカーボン系繊維に合成樹脂を含浸してなるカーボンＦＲＰのような部材により構成されている。この竿部分１２については一般的な釣竿の材質および性能と同様である。竿部分１２は、元竿部分１３に対して着脱可能とされていてもよく、また、伸縮可能とされていてもよい。
【００３０】
元竿部分１３には、図２に示したように、内部に空洞が設けられており、その空洞には二次電池３および保護回路４が内蔵されている。元竿部分１３の直径は、釣り人が手で握ってこの釣竿本体１の全体を保持したり持ち運ぶことが容易にできる程度に設定されている。元竿部分１３の末端のいわゆる竿尻には、キャップ（蓋体）１６が設けられている。キャップ１６の内周面には例えばねじ溝が設けられており、例えば元竿部分１３の外周面に設けられたねじ溝にねじ込むことにより、元竿部分１３に対して着脱可能に配設されている。
【００３１】
電動リール２は、内蔵する図示しない電動モータの回転または釣人の手によるアングルの回転を動力源として、道糸１１の巻き上げおよび繰り出しを行うものである。電動リール２の機械的な構造および機能は一般的なものと同様である。電動リール２は元竿部分１３に装着されており、電源ケーブル５を介して二次電池３と電気的に接続されている。
【００３２】
電源ケーブル５は、元竿部分１３のボディ壁面を貫通して内部から外部へと引き出されている。電源ケーブル５と貫通孔との間には合成ゴムなどからなるシール材１７が挿入されており、海水等が元竿部分１３の内部に侵入しないように気密性が確保されている。
【００３３】
電源ケーブル５の先端には凸側コネクタ５１が設けられており、電動リール２に設けられた凹側コネクタ５２に対して接続可能となっている。凸側コネクタ５１は、外部の図示しない充電器の凹側コネクタに対しても接続可能となっている。従って、図３に示したように、釣りをする際には電源ケーブル５が電動リール２に接続されて、二次電池３と電動リール２とを電気的に接続し、二次電池３を充電する際には、電源ケーブル５が充電器６に接続されて、充電器６と二次電池３とを電気的に接続するようになっている。
【００３４】
電源ケーブル５は、その内部抵抗に因る電力損失を抑制するために、できるだけ短いものとすることが望ましい。このため、本実施の形態では、元竿部分１１における電動リール２に対して可能な限り近接した位置から引き出されて電動リール２に接続されるように、最小限の長さとなっている。
【００３５】
二次電池３は、電動リール２の駆動用電源として用いられるものである。二次電池３としては、いわゆるリチウムイオン二次電池などのようにリチウムを電極反応に利用したものを用いることが好ましい。高いエネルギー密度を得ることができるので、小型化および軽量化を図ることができると共に、長時間の使用を可能とすることができるからである。なお、リチウムを電極反応に利用した二次電池には、リチウムの吸蔵・放出を利用したリチウムイオン二次電池の他にも、リチウムの析出・溶解を利用したいわゆるリチウム金属二次電池、またはリチウムの吸蔵・放出と、リチウムの析出・溶解とを利用した二次電池などがあるが、そのいずれを用いてもよい。
【００３６】
また、二次電池３は、円柱状のものでも、角柱状のものでもよく、または、缶状の外装材を用いたものでも、ラミネートフィルムなどのフィルム状の外装材を用いたものでもよい。中でも、フィルム状の外装材を用いた二次電池、例えば電解液を高分子化合物保持させたり、あるいはイオン伝導性高分子化合物を用いた、いわゆるポリマー二次電池を用いるようにすれば、缶状の外装材を用いたものに比べて、より軽量化を図ることができるので好ましい。
【００３７】
二次電池３は、元竿部分１３の空洞に合わせて形成したものを１個用いるようにしてもよいが、規格品あるいは元竿部分１３の空洞に合わせて形成したものを複数個接続して用いるようにしてもよい。複数個の二次電池３を用いる場合には、例えば図２に示したように、二次電池３をケース３１に収納して、ケース３１と共に元竿部分１３の空洞に対して着脱可能に内蔵するようにしてもよい。
【００３８】
ケース３１には、二次電池３と保護回路４とを電気的に接続するための正極側配線３２と負極側配線３３とが設けられている。二次電池３の接続方法は、直列でも、並列でも、直列と並列とを組み合わせてもよく、それに応じて正極側配線３２および負極側配線３３が配設されている。その場合、二次電池３を所定の本数ごとに直列に接続し、かつその直列に接続したもの同士を並列に接続するようにすれば、規格品を用いても目的とする放電電圧および放電電流を得ることが可能である。
【００３９】
保護回路４は、例えば図４に示したように、釣竿本体１の断面形状に対応して外形をほぼ円形とした配線基板４１の上に実装されている。その配線基板４１は、元竿部分１３の内部に、釣竿本体１の長手方向に対してほぼ直交する姿勢で、すなわち元竿部分１３の内部をシリンダと見做すと、あたかもそのシリンダ内の隔壁のような状態で内蔵されている。
【００４０】
保護回路４は、例えば、電源正極接続端子４２と、電源負極接続端子４３と、入出力用正極端子４４と、入出力用負極端子４５と、１個または複数個の保護回路用ＩＣ４６とを有している。
【００４１】
電源正極接続端子４２は、二次電池３の正極あるいはケース３１の正極側配線３２を接続するためのものであり、電源負極接続端子４３は、二次電池３の負極あるいはケース３１の負極側配線３３を接続するためのものである。入出力用正極端子４４および入出力用負極端子４５は、例えば図５に示したように、配線基板４１を貫通するように設けられており、配線基板４１の保護回路用ＩＣ４６が形成された面とは反対側の面において、電源ケーブル５に対して電気的に接続されるようになっている。
【００４２】
保護回路用ＩＣ４６は、電源正極接続端子４２、電源負極接続端子４３、入出力用正極端子４４、および入出力用負極端子４５に接続されており、図３に示したように、電源ケーブル５を介して、二次電池３と充電器６との間、または二次電池３と電動リール２との間に挿入されている。保護回路用ＩＣ４６は、二次電池３の充電を行っている際に過充電が発生した場合にはそれを検知して充電を停止させる機能と、二次電池３の放電を行っている際に過放電が発生した場合にはそれを検知して放電を停止させる機能とを兼ね備えている。この保護回路用ＩＣ４６の過充電・過放電防止機能それ自体については一般的なものである。
【００４３】
また、保護回路用ＩＣ４６には他の機能、例えば充電時の電流値あるいは電圧値を制御する機能、または二次電池３を並列に接続する場合には、並列に接続された二次電池３の充放電のバランスを取るための電流制御機能を持たせるようにしてもよい。
【００４４】
なお、保護回路４は、元竿部分１３の内部に固定されていてもよいが、例えば図６に示したように、二次電池３と共にパッケージ３４に収納して一体化した電池パック３５とし、元竿部分１３の空洞に対して着脱可能とするようにしてもよい。
【００４５】
次に、この釣竿の作用について説明する。ここでは一例として、この釣竿を釣り人が船釣りで使用する場合について説明する。
【００４６】
まず、釣り人は、釣りに行く前日などに、この釣竿を使用するための準備の一環として、二次電池３を充電する。例えば、電動ケーブル５を電動リール２の凹側コネクタ５２から引き抜いて、充電器６の凹側コネクタに接続する。すると、図３に示したような充電システムが形成され、二次電池３は充電器６から供給される電力により充電される。その際、保護回路４により充電状態が監視され、二次電池３が過充電されないように制御される。
【００４７】
また、二次電池３を元竿部分１３から取り出して充電をするようにしてもよい。例えば、予備のために満充電した二次電池３または電池パック３５を複数用意して持参したい場合もあり、その場合にはそれらを一々、元竿部分１３に装着して充電するよりは、直接充電した方が簡便だからである。この場合、充電器６には、二次電池３または電池パック３５を直接充電するためのコネクタあるいは配線接片などを設けることが必要である。
【００４８】
そして、釣りの当日、釣り人は、充電された二次電池３と共に釣竿本体１および図示しないその他の釣り道具等を持参して、船釣り等の現場に出向き、この釣竿を用いて魚釣りを行う。具体的には、電源ケーブル５を電動リール２に接続して二次電池３と電動リール２とを接続し、二次電池３により電動リール２を駆動して道糸１１等の繰出し・巻き上げを行う。
【００４９】
よって、足元に電源を置く必要も、電源と電動リール２とを接続する接続コードが邪魔になることもなく、快適に釣を楽しむことができる。また、休憩中あるいは釣竿を図示しない支持台に固定して釣を楽しむ場合などには、二次電池３を充電器６に接続して充電することもでき、電池を交換する煩雑さも解消される。
【００５０】
更に、電動リール２を駆動する際には、電源ケーブル５に比較的大きな電流が流れる場合が多いが、電動リール２と二次電池３とは近接して配置されており、電源ケーブル５の長さは短くなっているので、電源ケーブル５における電力損失を抑制して、二次電池３から供給される電力を有効に使用することが可能である。
【００５１】
加えて、二次電池３にリチウムを電極反応に利用したものを用いるようにすれば、大きなエネルギー密度を得ることができるので、元竿部分１３を握り易い大きさで、かつあまり重くすることなく、長時間の使用が可能となる。
【００５２】
例えば、電動リール２を用いた道糸１１の繰出し・巻き上げ時には、一般的な趣味の海釣り用の場合、駆動電圧６〜１２［Ｖ］で、１〜７［Ａ］程度の比較的大きな電流が流れる。より具体的には、例えば図１に示したような道糸１１に３枝の釣針１４と３５０号の錘１５とを連ねた一般的な個人的趣味の船釣り用の仕掛けの場合を一例として挙げると、１００号コマセ篭引上げ時の電流は、高速時において４〜５［Ａ］、その１回（５０ｍ）当りの継続時間は約１［ｍｉｎ］である。また、釣り上げ時の最大トルクは約７０［Ｎｍ］、最大電流は約１０［Ａ］程度である。そして、図７に示したタイミングチャートのように、１ヒットが平均約１２分毎に１分間ずつあり、実質的な釣りの時間を約６時間（３６０分）とすると、約３０回の仕掛けの上げ下ろしが行われることになるから、１日当りで実質的に電動リール２が運転される時間の合計は約３０分間（０．５［ｈ］）である。また、巻き上げ時の１分間は必ず電動リール２を運転するものとし、そのときの負荷で流れる平均電流値を７［Ａ］とすると、１日当りに必要となる放電量は、７［Ａ］×０．５［ｈ］＝３．５［Ａｈ］と計算される。すなわち、余裕をみて約４［Ａｈ］が必要であることになる。
【００５３】
このような大きな放電容量をニッカド二次電池やニッケル水素電池で実現するには、元竿部分１３が大きく重くなってしまったり、または電池の交換あるいは充電を数回行う必要がある。これに対して、例えばリチウムイオン二次電池であれば、ニッカド二次電池の約２倍以上の放電容量を有しているので、小型化・軽量化でき、また電池の交換あるいは充電の回数も少なく、場合によっては途中で電池を交換あるいは充電することなく１日中釣を楽しめる。
【００５４】
また、保護回路４は、二次電池３の側面に付設されるのではなく、その端面に付設されているので、元竿部分１３の直径を大型化してしまうことがなく、釣竿の取り扱いが悪くなってしまうことはない。
【００５５】
このように、本実施の形態によれば、二次電池３および保護回路４を元竿部分１３の内部に内蔵するようにしたので、二次電池３を取り出して充電したものと交換するようにもできるが、取り出さずに内蔵した状態で充電するようにすることもできる。よって、状況に応じて種々の使い方をすることが可能となり、利便性を向上させることができる。
【００５６】
特に、二次電池３としてリチウムを電極反応に利用するものを用いるようにすれば、元竿部分１３の直径や長さなどの外形寸法を大型化することなく長時間の使用を可能とすることができ、更に利便性を向上させることができる。
【００５７】
また、二次電池３としてフィルム状の外装材に収納されたものを用いるようにすれば、より軽量化を図ることができる。
【００５８】
更に、保護回路４を釣竿本体１の長手方向と直交する方向での断面形状に対応した外形を有する配線基板４１の上に設け、その配線基板４１を釣竿本体１の長手方向に対して略直交する姿勢で元竿部分１３に内蔵するようにすれば、元竿部分１３の外形寸法を大型化することなく二次電池３と保護回路４とを元竿部分１３に内蔵させることができる。
【００５９】
加えて、複数本の二次電池３を所定の本数ごとに直列に接続し、かつその直列に接続したもの同士を並列に接続するようにすれば、既存の規格に準拠した複数本の二次電池３を用いて所定の放電電圧および所定の放電電流を容易に得ることができる。
【００６０】
（第２の実施の形態）
図８は、本発明の第２の実施の形態に係る釣竿支持台の構成を表すものである。この釣竿支持台は、釣竿を船縁などの固定場所７に対して固定するものである。釣竿にはどのようなものを用いることもできるが、便宜上、第１の実施の形態で説明した釣竿と対応する構成要素には同一の符号を付して説明する。
【００６１】
この釣竿支持台は、釣竿本体１を固定場所７に対して固定して支持する支持部材８を備えている。支持部材８は、例えば、釣竿本体１を固定場所７に対して固定する固定部８１と、固定部８１に対して変位可能に取り付けられており、釣竿本体１を配置する配置部８２とを有している。固定部８１は、例えばねじ８３により固定場所７に取り付けることができるようになっている。
【００６２】
固定部８２には、例えば電源部９が設けられており、電源部９の内部には、二次電池９１を配設することができるようになっている。電源部９には、また、保護回路９２が内蔵されている。二次電池９１および保護回路９２の構成は、第１の実施の形態で説明した二次電池３および保護回路４と同様である。なお、保護回路９２を実装する図示しない配線基板の形状は、第１の実施の形態と異なり特に限定されることはない。また、二次電池９１と保護回路９２とは、第１の実施の形態と同様に、パッケージにより一体化し、電池パックとして電源部９に対して着脱可能とされていてもよい。
【００６３】
電源部９からは電源ケーブル９３が引き出されており、釣竿の電源リール２に対して接続することができるようになっている。電源ケーブル９３は、保護回路９２と接続可能とされており、保護回路９２を介して二次電池９１と接続されるようになっている。電源ケーブル９３の長さは、釣竿本体１を支持部材８から持ち上げることができるようにある程度の余裕を持たせるようにしてもよい。その場合、電源ケーブル９３を巻いておき必要に応じて引き延ばすようにしてもよい。
【００６４】
この釣竿支持台は、第１の実施の形態に係る釣竿と同様に、釣りに行く前日などに二次電池９１を充電して予め準備しておく。充電は例えば第１の実施の形態と同様に、電動ケーブル９３を充電器に接続することにより、または二次電池９１を取り出した状態で充電器に接続することにより行う。
【００６５】
釣をする時には、釣竿本体１を釣竿支持台の支持部材８に配置し、電源ケーブル９３を電動リール２に接続して、二次電池９１により電動リール２を駆動して道糸１１等の繰出し・巻き上げを行う。また、電源ケーブル９３の長さにある程度余裕がある場合には、釣竿本体１を支持部材８から持ち上げて用いることもできる。
【００６６】
更に、第１の実施の形態で説明した釣竿と合わせて用いるようにすれば、釣竿を支持部材８に配置して使用するときには電動リール２を釣竿支持台の二次電池９１に接続し、支持部材８から持ち上げて使用する時には釣竿本体１に内蔵した二次電池３に接続するというように、使い分けることもできる。
【００６７】
このように、本実施の形態によれば、釣竿支持台に二次電池９１を配設可能な電源部９を設けるようにしたので、電動リール２などを備えた釣竿を用いる際に、電動リール２に二次電池９１を接続してその電源とすることができる。よって、釣竿を軽くすることができ、その取り扱い性を向上させることができると共に、電源のための特別な装備を用意する必要がなく、電動リール２との電源ケーブル９３も短くすることができ、煩雑さを改善することができる。
【００６８】
また、釣竿支持台は、釣竿に比べて形状および重さに対する制限が少なく、電源部９の大きさを大きくすることもできる。よって、二次電池９１を交換したり、あるいは充電したりすることなく、１日中釣を楽しむことができる。
【００６９】
特に、二次電池９１としてリチウムを電極反応に利用するものを用いるようにすれば、大型化することなく長時間の使用を可能とすることができ、更に利便性を向上させることができる。また、二次電池９１としてフィルム状の外装材に収納されたものを用いるようにすれば、電源部９の小型化および軽量化を更に図ることができる。
【００７０】
なお、本実施の形態では、電動リール２の電源として二次電池９１を用いる場合について説明したが、二次電池９１に代えて一次電池を用いてもよい。その場合には、保護回路９２は設けなくてもよい。
【００７１】
以上、実施の形態を挙げて本発明を説明したが、本発明は上記実施の形態に限定されるものではなく、種々変形可能である。例えば、上記実施の形態では、保護回路４，９２およびそれを実装する配線基板４１の構成、並びに保護回路４，９２と電動リール２との接続方法などについて具体的に例を挙げて説明したが、他の構成を有するようにしてもよい。
【００７２】
また、上記第２の実施の形態では、支持部材８をねじ８３により固定場所７に対して取り付ける場合について説明したが、固定場所７に対して立てかけたり、あるいは載置したりして固定するようにしてもよい。更に、上記第２の実施の形態では、配置部８２を固定部８１に対して変位可能に取り付けるようにしたが、変位可能とされていなくてもよい。加えて、上記第２の実施の形態では、固定部８１に対して電源部９を設けるようにしたが、支持部材８に対して設けられていれば、固定部８１以外の他の部分に設けられていてもよい。
【００７３】
また、上記実施の形態では、船釣りで使用する場合を想定した説明を行ったが、磯釣りあるいはルアーを用いた渓流釣りなどにも適用することができる。
【産業上の利用可能性】
【００７４】
電動リールによる道糸の巻き上げ・繰り出し等が行われる船釣りや磯釣りあるいは渓流釣りなどに好適な釣竿に用いることができる。
【図面の簡単な説明】
【００７５】
【図１】本発明の第１の実施の形態に係る釣竿の概要構成を表す斜視図である。
【図２】図１に示した釣竿の元竿部分のＡ−Ａ線に沿った断面図である。
【図３】図１に示した釣竿の回路構成を表すブロック図である。
【図４】図２に示した保護回路の概要構成を示す平面図である。
【図５】図２に示した保護回路の概要構成を示す平面図である。
【図６】図１に示した釣竿に用いる電池パックの構成を表す部分断面斜視図である。
【図７】釣りの１ヒット当りに要する時間を模式的に示すタイミングチャートである。
【図８】本発明の第２の実施の形態に係る釣竿支持台の構成を表す部分断面平面図である。
【符号の説明】
【００７６】
１…釣竿本体、２…電動リール、３，９１…二次電池、４，９２…保護回路、５，９３…電源ケーブル、１１…道糸、１２…竿部分、１３…元竿部分、１６…キャップ、３５…電池パック、４６…保護回路用ＩＣ、８…支持部材、８１…固定部、８２…配置部、９…電源部。
【図１】
2005312369.tif 000003
【図２】
2005312369.tif 000004
【図３】
2005312369.tif 000005
【図４】
2005312369.tif 000006
【図５】
2005312369.tif 000007
【図６】
2005312369.tif 000008
【図７】
2005312369.tif 000009
【図８】
2005312369.tif 000010